【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  黒系インクと、カラーインクと、前記黒系インクと反応し且つ前記カラーインクと同系色で前記カラーインクよりも濃度の低い低濃度カラーインクとを使用可能なプリンタを用いて行うプリント方法であって、
黒系画像がプリントされるべきプリント媒体上の領域に対して、前記カラーインクを吐出せず、前記黒系インクと前記低濃度カラーインクを吐出することにより前記黒系画像を形成することを特徴とするプリント方法。
【請求項２】  黒系インクと、カラーインクと、前記黒系インクと反応し且つ前記カラーインクと同系色で前記カラーインクよりも濃度の低い低濃度カラーインクとを使用可能なプリンタを用いて行うプリント方法であって、
黒系インク吐出データに応じて吐出される黒系インクと、前記黒系インク吐出データに基づき生成された低濃度カラーインク吐出データに応じて吐出される低濃度カラーインクとをプリント媒体上で反応させて前記プリント媒体上に黒系画像を形成することを特徴とするプリント方法。
【請求項３】  黒系インクと、カラーインクと、前記黒系インクと反応し且つ前記カラーインクと同系色で前記カラーインクよりも濃度の低い低濃度カラーインクとを吐出可能なプリンタを用いて行うプリント方法であって、
黒系画像がプリントされるべきプリント媒体上の領域に対して前記黒系インクと前記低濃度カラーインクを吐出する工程を有し、
前記領域に対するカラーインクの吐出数は、前記領域に対する黒系インクの吐出数よりも少ないことを特徴とするプリント方法。
【請求項４】    前記低濃度カラーインクは、前記黒系インク中の色材を凝集あるいは不溶化させる成分を含むことを特徴とする請求項１乃至３のいずれかに記載のプリント方法。
【請求項５】  前記黒系インクはアニオン性を有し、前記低濃度有色インクはカチオン性を有することを特徴とする請求項１乃至４のいずれかに記載のプリント方法。
【請求項６】  前記カラーインクは、前記黒系インクとは反応しないことを特徴とする請求項１乃至５のいずれかに記載のプリント方法。
【請求項７】  前記カラーインクはシアンインクあるいはマゼンタインクの少なくとも一方を含み、前記低濃度カラーインクは淡シアンインクあるいは淡マゼンタインクの少なくとも一方を含むことを特徴とする請求項１乃至６のいずれかに記載のプリント方法。
【請求項８】  黒系インクと異なるカラーインクと、前記カラーインクと反応し且つ前記カラーインクと同系色で前記カラーインクよりも濃度の低い低濃度カラーインクとを吐出可能なプリンタを用いたプリント方法であって、
カラー画像がプリントされるべきプリント媒体上の領域に対して前記カラーインクと前記低濃度カラーインクを吐出する工程を有することを特徴とするプリント方法。
【請求項９】  黒系インクと、カラーインクと、前記黒系インクと反応し且つ前記カラーインクと同系色で前記カラーインクよりも濃度の低い低濃度カラーインクとを吐出可能なプリント装置であって、
黒系画像がプリントされるべきプリント媒体上の領域に対して、前記カラーインクは吐出せず、前記黒系インクと前記低濃度カラーインクを吐出することにより前記黒系画像を形成することを特徴とするプリント装置。
【請求項１０】  黒系インクと、カラーインクと、前記黒系インクと反応し且つ前記カラーインクと同系色で前記カラーインクよりも濃度の低い低濃度カラーインクとを吐出可能なプリント装置であって、
黒系インク吐出データに応じて吐出される黒系インクと、前記黒系インクデータに基づき生成された低濃度カラーインクデータに応じて吐出される低濃度カラーインクとをプリント媒体上で反応させて前記プリント媒体上に黒系画像をプリントすることを特徴とするプリント装置。
【請求項１１】  黒系インクと、カラーインクと、前記黒系インクと反応し且つ前記カラーインクと同系色で前記カラーインクよりも濃度の低い低濃度カラーインクとを吐出可能なプリント装置であって、
黒系インクデータに基づいて前記黒系インクを吐出する黒系インク吐出部と、
前記黒系インクデータを間引くことで生成される低濃度カラーインクデータに基づいて前記低濃度カラーインクを吐出する低濃度カラーインク吐出部とを有し、
前記黒系インクが吐出される一部に前記低濃度カラーインクが吐出されて黒系画像が形成されることを特徴とするプリント装置。
【請求項１２】  黒系インクと、カラーインクと、前記黒系インクと反応し且つ前記カラーインクと同系色で前記カラーインクよりも濃度の低い低濃度カラーインクとを吐出可能なプリント装置であって、
黒系画像がプリントされるべきプリント媒体上の領域に対して前記黒系インクと前記低濃度カラーインクを吐出する手段を有し、
前記領域に対するカラーインクの吐出数は、前記領域に対する黒系インクの吐出数よりも少ないことを特徴とするプリント装置。
【請求項１３】  黒系インクと、カラーインクと、前記カラーインクと同系色で前記カラーインクよりも濃度の低い低濃度カラーインクとを用いてプリントを行うプリンタで用いられる前記低濃度カラーインクであって、
前記低濃度カラーインクは、前記黒系インク中の色材を不溶化あるいは凝集させる成分を含むことを特徴とする低濃度カラーインク。
【請求項１４】  黒系インクと、カラーインクと、前記カラーインクと同系色で前記カラーインクよりも濃度の低い低濃度カラーインクを含むインクセットであって、
前記低濃度カラーインクは、前記黒系インク中の色材を不溶化あるいは凝集させる成分を含むことを特徴とするインクセット。
【請求項１５】  黒系インクと、カラーインクと、前記カラーインクと同系色で前記カラーインクよりも濃度の低い低濃度カラーインクを含むインクセットであって、
前記カラーインクは、前記黒インク中の色材を不溶化あるいは凝集させる成分を含まず、且つ
前記低濃度カラーインクは、前記黒系インク中の色材を不溶化あるいは凝集させる成分を含むことを特徴とするカラーインクセット。
【請求項１６】  黒系インクと、カラーインクと、前記黒系インクと反応し且つ前記カラーインクと同系色で前記カラーインクよりも濃度の低い低濃度カラーインクとを使用可能なプリンタで用いるためのインク吐出データを生成する装置であって、
前記黒系インクの吐出データに基づいて前記低濃度カラーインクの吐出データを生成する手段を有することを特徴とするデータ生成装置。
【手続補正２】
【補正対象書類名】明細書
【補正対象項目名】００１７
【補正方法】変更
【補正の内容】
【００１７】
【課題を解決するための手段】
かかる本発明は、上述の目的を達成すべく、黒系インクと、カラーインクと、前記黒系インクと反応し且つ前記カラーインクと同系色で前記カラーインクよりも濃度の低い低濃度カラーインクとを使用可能なプリンタを用いて行うプリント方法であって、黒系画像がプリントされるべきプリント媒体上の領域に対して、前記カラーインクを吐出せず、前記黒系インクと前記低濃度カラーインクを吐出することにより前記黒系画像を形成することを特徴とする。
他の形態では、黒系インクと、カラーインクと、前記黒系インクと反応し且つ前記カラーインクと同系色で前記カラーインクよりも濃度の低い低濃度カラーインクとを使用可能なプリンタを用いて行うプリント方法であって、黒系インク吐出データに応じて吐出される黒系インクと、前記黒系インク吐出データに基づき生成された低濃度カラーインク吐出データに応じて吐出される低濃度カラーインクとをプリント媒体上で反応させて前記プリント媒体上に黒系画像を形成することを特徴とする。
さらに他の形態では、黒系インクと、カラーインクと、前記黒系インクと反応し且つ前記カラーインクと同系色で前記カラーインクよりも濃度の低い低濃度カラーインクとを吐出可能なプリンタを用いて行うプリント方法であって、黒系画像がプリントされるべきプリント媒体上の領域に対して前記黒系インクと前記低濃度カラーインクを吐出する工程を有し、前記領域に対するカラーインクの吐出数は、前記領域に対する黒系インクの吐出数よりも少ないことを特徴とする。
さらに対の形態では、黒系インクと異なるカラーインクと、前記カラーインクと反応し且つ前記カラーインクと同系色で前記カラーインクよりも濃度の低い低濃度カラーインクとを吐出可能なプリンタを用いたプリント方法であって、カラー画像がプリントされるべきプリント媒体上の領域に対して前記カラーインクと前記低濃度カラーインクを吐出する工程を有することを特徴とする。
【手続補正３】
【補正対象書類名】明細書
【補正対象項目名】００１８
【補正方法】変更
【補正の内容】
【００１８】
また、黒系インクと、カラーインクと、前記黒系インクと反応し且つ前記カラーインクと同系色で前記カラーインクよりも濃度の低い低濃度カラーインクとを吐出可能なプリント装置であって、黒系画像がプリントされるべきプリント媒体上の領域に対して、前記カラーインクは吐出せず、前記黒系インクと前記低濃度カラーインクを吐出することにより前記黒系画像を形成することを特徴とする。
他の形態では、黒系インクと、カラーインクと、前記黒系インクと反応し且つ前記カラーインクと同系色で前記カラーインクよりも濃度の低い低濃度カラーインクとを吐出可能なプリント装置であって、黒系インク吐出データに応じて吐出される黒系インクと、前記黒系インクデータに基づき生成された低濃度カラーインクデータに応じて吐出される低濃度カラーインクとをプリント媒体上で反応させて前記プリント媒体上に黒系画像をプリントすることを特徴とする。
さらに他の形態では、黒系インクと、カラーインクと、前記黒系インクと反応し且つ前記カラーインクと同系色で前記カラーインクよりも濃度の低い低濃度カラーインクとを吐出可能なプリント装置であって、黒系インクデータに基づいて前記黒系インクを吐出する黒系インク吐出部と、前記黒系インクデータを間引くことで生成される低濃度カラーインクデータに基づいて前記低濃度カラーインクを吐出する低濃度カラーインク吐出部とを有し、前記黒系インクが吐出される一部に前記低濃度カラーインクが吐出されて黒系画像が形成されることを特徴とする。
さらに他の形態では、黒系インクと、カラーインクと、前記黒系インクと反応し且つ前記カラーインクと同系色で前記カラーインクよりも濃度の低い低濃度カラーインクとを吐出可能なプリント装置であって、黒系画像がプリントされるべきプリント媒体上の領域に対して前記黒系インクと前記低濃度カラーインクを吐出する手段を有し、前記領域に対するカラーインクの吐出数は、前記領域に対する黒系インクの吐出数よりも少ないことを特徴とする。